(57)【要約】【課題】所定の報知情報をユーザに確実に報知することができる洗濯機を提供する。【解決手段】洗濯機は、電源スイッチと、所定の報知情報を報知する報知部と、報知情報を報知すべき状態の発生の有無を判定する状態判定部とを備える。所定の報知情報を報知すべき状態とは、例えば、フィルタの目詰まり度合又はエラー状態、フィルタ以外の他の部品などの運転時の異常状態（エラー）などを含む。報知部は、運転中に状態判定部で状態の発生があると判定した場合に、電源スイッチの次回入操作がされたときは、第１の報知情報を報知するようにしてある。【選択図】図３
2015066328.tif 000002
【特許請求の範囲】
【請求項１】
電源スイッチと、所定の報知情報を報知する報知部と、該報知部で報知すべき状態の発生の有無を判定する状態判定部とを備える洗濯機において、
前記報知部は、
運転中に前記状態判定部で前記状態の発生があると判定した場合に、次回電源スイッチの入操作がされたときは、第１の報知情報を報知するようにしてあることを特徴とする洗濯機。
【請求項２】
前記報知部は、
前記状態判定部で前記状態の発生があると判定した場合に、第２の報知情報を報知するようにしてあり、
任意の操作を受け付ける受付部を備え、
前記報知部は、
運転中に前記受付部で任意の操作を受け付けていない場合に、電源スイッチの次回入操作がされたときは、前記第１の報知情報を報知するようにしてあることを特徴とする請求項１に記載の洗濯機。
【請求項３】
前記状態が発生した場合又は運転が終了した場合、電源切を行う電源制御部を備え、
前記報知部は、
前記状態が発生した時点から電源切となる時点までの間に前記受付部で任意の操作を受け付けていない場合に、電源スイッチの次回入操作がされたときは、前記第１の報知情報を報知するようにしてあることを特徴とする請求項２に記載の洗濯機。
【請求項４】
前記状態判定部で前記状態の発生があると判定した場合に、前記第１の報知情報の報知要を示す情報を記憶する記憶部を備え、
前記報知部は、
前記記憶部に前記報知要を示す情報が記憶されている場合、前記第１の報知情報を報知するようにしてあることを特徴とする請求項１から請求項３までのいずれか１項に記載の洗濯機。
【請求項５】
前記状態を緊急度合に応じて予め区分する状態区分部を備え、
前記報知部は、
前記状態判定部で前記状態の発生があると判定した場合に、該状態の区分に応じて緊急度合の異なる前記第１の報知情報を報知するようにしてあることを特徴とする請求項１から請求項４までのいずれか１項に記載の洗濯機。
【請求項６】
前記状態の発生回数を示す履歴情報を記録する記録部を備え、
前記報知部は、
前記状態判定部で前記状態の発生があると判定した場合に、該状態の発生回数の多少に応じて緊急度合の異なる前記第１の報知情報を報知するようにしてあることを特徴とする請求項１から請求項４までのいずれか１項に記載の洗濯機。
【請求項７】
前記状態判定部で前記状態の発生があると判定した場合に、電源スイッチの次回入操作がされたときに、前記状態を解消するための作業を実施したか否かの情報を入力するための入力部を備えることを特徴とする請求項１から請求項６までのいずれか１項に記載の洗濯機。
【発明の詳細な説明】
【技術分野】
【０００１】
本発明は、所定の報知情報を報知する洗濯機に関する。
【背景技術】
【０００２】
近年広く普及しているドラム式の洗濯機は、有底円筒状の水槽を、横姿勢又は斜め横姿勢で筐体内に支持し、この水槽の内部に、同軸上にて回転する有底円筒状の回転ドラムを収容して構成されている。そして、かかる洗濯機は、水槽及び回転ドラム内に乾燥風を循環させる乾燥風路を備え、乾燥風路には、回転ドラムの空気を吸い込む送風ファン、及び空気を加熱するヒータなどが設けられている。
【０００３】
このような洗濯機では、音声通知機能を搭載し、洗濯状況又は運転中に生じたエラーなどを音声で出力するものがある（特許文献１参照）。
【先行技術文献】
【特許文献】
【０００４】
【特許文献１】特開２００１−２９３２８４号公報
【発明の概要】
【発明が解決しようとする課題】
【０００５】
しかし、洗濯機が運転状態にあるときには、ユーザは洗濯機の傍にいない場合が多く、運転中に生じたエラー又はその他の事象を音声により出力しても、ユーザが認識することができない可能性が高い。
【０００６】
本発明は斯かる事情に鑑みてなされたものであり、所定の報知情報をユーザに確実に報知することができる洗濯機を提供することを目的とする。
【課題を解決するための手段】
【０００７】
本発明に係る洗濯機は、電源スイッチと、所定の報知情報を報知する報知部と、該報知部で報知すべき状態の発生の有無を判定する状態判定部とを備える洗濯機において、前記報知部は、運転中に前記状態判定部で前記状態の発生があると判定した場合に、次回電源スイッチの入操作がされたときは、第１の報知情報を報知するようにしてあることを特徴とする。
【０００８】
本発明に係る洗濯機は、前記報知部は、前記状態判定部で前記状態の発生があると判定した場合に、第２の報知情報を報知するようにしてあり、任意の操作を受け付ける受付部を備え、前記報知部は、運転中に前記受付部で任意の操作を受け付けていない場合に、電源スイッチの次回入操作がされたときは、前記第１の報知情報を報知するようにしてあることを特徴とする。
【０００９】
本発明に係る洗濯機は、前記状態が発生した場合又は運転が終了した場合、電源切を行う電源制御部を備え、前記報知部は、前記状態が発生した時点から電源切となる時点までの間に前記受付部で任意の操作を受け付けていない場合に、電源スイッチの次回入操作がされたときは、前記第１の報知情報を報知するようにしてあることを特徴とする。
【００１０】
本発明に係る洗濯機は、前記状態判定部で前記状態の発生があると判定した場合に、前記第１の報知情報の報知要を示す情報を記憶する記憶部を備え、前記報知部は、前記記憶部に前記報知要を示す情報が記憶されている場合、前記第１の報知情報を報知するようにしてあることを特徴とする。
【００１１】
本発明に係る洗濯機は、前記状態を緊急度合に応じて予め区分する状態区分部を備え、前記報知部は、前記状態判定部で前記状態の発生があると判定した場合に、該状態の区分に応じて緊急度合の異なる前記第１の報知情報を報知するようにしてあることを特徴とする。
【００１２】
本発明に係る洗濯機は、前記状態の発生回数を示す履歴情報を記録する記録部を備え、前記報知部は、前記状態判定部で前記状態の発生があると判定した場合に、該状態の発生回数の多少に応じて緊急度合の異なる前記第１の報知情報を報知するようにしてあることを特徴とする。
【００１３】
本発明に係る洗濯機は、前記状態判定部で前記状態の発生があると判定した場合に、電源スイッチの次回入操作がされたときに、前記状態を解消するための作業を実施したか否かの情報を入力するための入力部を備えることを特徴とする。
【発明の効果】
【００１４】
本発明によれば、所定の報知情報をユーザに確実に報知することができる。
【図面の簡単な説明】
【００１５】
【図１】本実施の形態の洗濯機の外観の一例を示す斜視図である。
【図２】本実施の形態の洗濯機の内部構成の一例を示す縦断面図である。
【図３】本実施の形態の洗濯機の構成の一例を示すブロック図である。
【図４】本実施の形態の洗濯機の操作パネルの一例を示す模式図である。
【図５】洗濯機の洗濯運転の処理手順のフローチャートである。
【図６】実施の形態１の洗濯機の洗濯運転の処理手順の第１実施例を示すフローチャートである。
【図７】実施の形態１の洗濯機の洗濯運転の処理手順の第１実施例を示すフローチャートである。
【図８】洗濯機の洗濯乾燥運転の処理手順のフローチャートである。
【図９】実施の形態１の洗濯機の洗濯乾燥運転の処理手順の第２実施例を示すフローチャートである。
【図１０】実施の形態１の洗濯機の洗濯乾燥運転の処理手順の第２実施例を示すフローチャートである。
【図１１】実施の形態２の洗濯機によるフィルタ状態を記憶する処理手順の一例を示すフローチャートである。
【図１２】実施の形態２の洗濯機による電源入操作時の処理手順の第３実施例を示すフローチャートである。
【図１３】実施の形態２の洗濯機による電源入操作時の処理手順の第４実施例を示すフローチャートである。
【図１４】実施の形態２の洗濯機による電源入操作時の処理手順の第５実施例を示すフローチャートである。
【図１５】実施の形態２の洗濯機による電源入操作時の処理手順の第６実施例を示すフローチャートである。
【発明を実施するための形態】
【００１６】
（実施の形態１）
以下、本発明をその実施の形態を示す図面に基づいて説明する。図１は本実施の形態の洗濯機１００の外観の一例を示す斜視図であり、図２は本実施の形態の洗濯機１００の内部構成の一例を示す縦断面図である。洗濯機１００は、洗濯と乾燥とを行うことができる洗濯乾燥機であるが、乾燥を行わず洗濯のみ行うものでもよい。
【００１７】
本実施の形態の洗濯機１００は、外装を構成する外箱１の内部に水槽２及び回転ドラム３などを備える。水槽２は、一側に開口２０を設けた大径の有底円筒体であり、外箱１の底面に立設された複数本の支持脚２１（１本のみ図示）により、開口２０の側を上とし、水平面に対して軸心を傾けた傾斜姿勢を保って弾性的に支持されている。
【００１８】
水槽２の内部には、回転ドラム３が収容されている。回転ドラム３は、水槽２よりも若干小径の有底円筒体であり、一側の開口３０を水槽２の開口２０の内側に臨ませ、水槽２の底部中央に固設されたドラムモータ４の出力軸４０の端部に連結してあり、ドラムモータ４の駆動により、水槽２の内部にて回転するように構成してある。
【００１９】
回転ドラム３は、開口３０の外側に周設された流体バランサ３１を備える。流体バランサ３１は、回転ドラム３が回転した場合に、当該回転に伴う振動を吸収して緩和する機能を有する。ドラムモータ４は、水槽２の底板の外側に連設されたモータ室４１の内部に設けてある。ドラムモータ４の出力軸４０は、水槽２の底板を液密に貫通し、当該底板の中央に突出しており、回転ドラム３は、突出した出力軸４０の端部に連結してある。回転ドラム３の周壁には、多数の小孔３２が全面に亘って貫通形成されている。また、回転ドラム３の内面には、軸長方向に延びる複数のバッフル３３が周方向に等配をなして突設されている。なお、簡便のため、図２には、小孔３２の一部及び１つのバッフル３３を図示している。
【００２０】
外箱１の前面（図２の左側面）には、水槽２の開口２０を臨む位置に、ドア１０によって開閉可能に洗濯物Ａの投入口１１が開設されている。投入口１１と水槽２の開口２０との間は、ベローズ１２によって液密に封止されている。外箱１の前面には、ドア１０の近傍にドア開ボタン１３が設けてある。また、ドア１０には、ドア１０の閉止時に押圧操作するための押圧部１４が設けてある。ドア１０は、ドア開ボタン１３の操作によって開放され、また周縁部を把持して閉操作し、押圧部１４を外側から押すことにより閉止される。外箱１の前面に設けた投入口１１は、水槽２及び回転ドラム３の開口２０、３０に臨ませてある。
【００２１】
外箱１の前面上部には操作パネル１５が設置されている。操作パネル１５は、運転内容を決定するための複数の操作ボタンと、操作ボタンによって決定された運転内容に対応する文字及び／又は図形を表示する表示部とを有する。操作パネル１５は、外箱１の内部における前下部に設けられている運転制御部１６に接続してあり、操作パネル１５に対する操作情報は、運転制御部１６へ出力される。運転制御部１６は、操作パネル１５から出力された操作情報に基づいて運転内容を決定し、決定した運転内容に従って洗濯運転及び乾燥運転等を行う。
【００２２】
外箱１の後部上面には、水道への接続端となる給水口１７が設けてあり、給水口１７は、外箱１の内側に設けられた給水弁１８に接続されている。給水弁１８は、複数の給水出口を有する多連形の電磁弁である。給水弁１８の第１給水出口は、給水管１９を介して水槽２の底板近傍の上部周面に接続されている。給水管１９の中途には、銀イオン発生器２２が設けられている。銀イオン発生器２２は、給水管１９を流れる水を滞留させる図示しない水溜め部と、電圧の印加によって銀イオンを水溜め部に滞留している水に溶出する図示しない対向電極とを有する。銀イオン発生器２２、より具体的には対向電極夫々は、運転制御部１６に接続されており、運転制御部１６による対向電極間の電圧印加によって、銀イオンを水溜め部に滞留している水に溶出する。給水弁１８が第１給水出口に切換えられた場合、給水口１７に流入した水は、給水弁１８及び給水管１９を経て水槽２の内部に供給され、洗い用の洗濯水、又は、すすぎ用のすすぎ水として使用される。尚、給水管１９の中途に、銀イオン発生器２２の他に、公知のように洗剤ケースを配置し、給水と共に適量の洗剤が導入されるように構成することができる。
【００２３】
水槽２には、最下位置となる底板近傍の周面に導水管２３が接続されており、導水管２３は、外箱１の内側における前下部に固定支持された筒形のフィルタケース２４に接続されている。フィルタケース２４の内部には、繊維屑等の異物を捕捉する排水フィルタ２５が収容されている。フィルタケース２４の下部は、排水弁２６を介して外箱１の底面に沿って敷設された排水管２７に接続されている。排水弁２６が開放された場合、水槽２内の洗濯水又はすすぎ水は、導水管２３及びフィルタケース２４を経て排水管２７に排出される。水槽２内の洗濯水又はすすぎ水に含まれる異物は、フィルタケース２４内の排水フィルタ２５によって捕捉され、洗濯水又はすすぎ水から除去される。従って、異物が排水管２７を経て下水管に排出される虞がないため、環境負荷の軽減を図ることができる。
【００２４】
また、運転制御部１６は、排水フィルタ２５の目詰まり状態を判定するため、排水時間を計測する。排水時間の計測は、例えば、水槽２内の適宜の位置に設けた水位センサ（不図示）を用いることができる。
【００２５】
また、図２に示すように、循環風路５は、水槽２の下部底面に開設された導出口５０と、水槽２の開口２０の周縁部に開設された導入口５１とを、上行ダクト５２及び前行ダクト５３により連絡してある。上行ダクト５２及び前行ダクト５３夫々は、外箱１の内部における後側及び上側に配してある。上行ダクト５２の下端部及び上端部夫々は、導出口５０及び前行ダクト５３の後端部に連結してある。前行ダクト５３の前端部は、水槽２の前側上部の周縁に開口する導入口５１に接続されている。
【００２６】
前行ダクト５３の中途には、塵埃を捕捉するための乾燥フィルタ５４、乾燥風を起風する送風機５５、及び、乾燥風を加熱するヒータ５６が、後側から前側にこの順に介装してある。
【００２７】
また、乾燥フィルタ５４の目詰まり状態を判定するため、乾燥風の温度を検出するサーミスタ（不図示）が適宜の位置に設けられている。運転制御部１６は、当該サーミスタの温度上昇度合（例えば、１０分などの所定時間の間の上昇温度など）を検出する。
【００２８】
送風機５５及びヒータ５６の間を接続してある前行ダクト５３の側壁には、プラズマクラスタイオン（Plasma Cluster Ion; ＰＣＩ）を発生させて、前行ダクト５３を通流する乾燥風にＰＣＩを含ませるＰＣＩ発生器５７が設けてある。また給水弁１８の第２給水出口は、冷却水管５８を介して上行ダクト５２に沿って下方に延設されており、冷却水管５８の下端は、上行ダクト５２における下部の後壁に接続されている。
【００２９】
図３は本実施の形態の洗濯機１００の構成の一例を示すブロック図である。運転制御部１６は、ＣＰＵ（Central Processing Unit）６１、記録部６２、入出力部６３及び通信部６４などを備える。
【００３０】
ＣＰＵ６１は、記録部６２に記憶された制御プログラムなどを読み出して実行することにより、洗濯動作に係る各種の演算処理及び制御処理等を行う。
【００３１】
また、ＣＰＵ６１は、状態判定部としての機能を有し、所定の報知情報を報知すべき状態の発生の有無を判定し、判定結果をＣＰＵ７１へ出力する。所定の報知情報を報知すべき状態とは、例えば、排水フィルタ２５の状態（例えば、排水時間、排水フィルタ２５のエラーの有無）、すすぎ運転や脱水運転時の回転ドラム３を高速回転させて洗濯物の水分を離脱させる時の生じた脱水エラーの有無）、また乾燥フィルタ５４の状態（例えば、サーミスタの温度上昇度合、乾燥フィルタ５４のエラーの有無）、排水フィルタ２５及び乾燥フィルタ５４のエラーの状態（累積回数）、その他の運転時の異常状態（エラー）などを含む。
【００３２】
また、ＣＰＵ６１は、運転の開始、運転終了時の電源オフの制御を行う電源制御部としての機能を有する。また、ＣＰＵ６１は、運転時に異常（エラー）が発生した場合、発生時点から所定時間経過後に電源オフの制御も行うことができる。
【００３３】
記録部６２は、例えば、ＥＥＰＲＯＭ（Electrically Erasable Programmable Read Only Memory）又はフラッシュメモリ等の不揮発性でデータ書き換え可能なメモリ素子で構成されており、ＣＰＵ６１が実行する制御プログラム及びこれに必要な種々のデータ等が記録してある。
【００３４】
また、記録部６２は、運転履歴を記録してある。運転履歴は、例えば、排水フィルタ２５の状態（例えば、排水時間、排水フィルタ２５のエラーの有無）、脱水エラーの有無、乾燥フィルタ５４の状態（例えば、サーミスタの温度上昇度合、乾燥フィルタ５４のエラーの有無）、排水フィルタ２５及び乾燥フィルタ５４のエラーの回数（累積回数）、その他の運転時の異常状態（エラー）などの情報を含む。なお、運転履歴は、上述の例に限定されるものではない。
【００３５】
入出力部６３は、ドラムモータ４、給水弁１８、排水弁２６、送風機５５、ヒータ５６、銀イオン発生器２２及びＰＣＩ発生器５７等が接続されており、これらとＣＰＵ６１との間のデータ入出力を行う。ＣＰＵ６１は、入出力部６３を介して、例えば、ドラムモータ４の回転制御及び給水弁１８の開閉制御等を行うことができる。
【００３６】
通信部６４は、信号線を介して操作パネル１５に接続されており、ＣＰＵ６１と操作パネル１５との間の情報送受信を行う。ＣＰＵ６１は、通信部６４を介して、操作パネル１５にて受け付けたユーザの操作に基づいた洗濯動作を行うことができる。
【００３７】
操作パネル１５は、ＣＰＵ７１、操作部７２、タッチセンサ７３、ＬＥＤ（Light Emitting Diode）７４、通信部７５、報知部７６、記憶部７７などを備える。なお、報知部７６は、報知情報を音声で出力する場合、例えば、スピーカで構成することができ、報知情報を文字等で出力する場合、ＬＥＤ、液晶表示装置（ＬＣＤ）で構成することができる。
【００３８】
ＣＰＵ７１は、操作部７２における操作の受け付け、タッチセンサ７３に対する接触操作の有無の判定、ＬＥＤ７４の点灯制御、報知部７６への報知情報の出力、記憶部７７に記憶した情報の読出し又は記憶部７７への情報の書込みなどの処理を行う。操作部７２及びタッチセンサ７３は、任意の操作を受け付ける受付部としての機能を有する。
【００３９】
ＣＰＵ７１は、操作部７２又はタッチセンサ７３にて操作を受け付けた場合に、通信部７５を介して操作内容等の情報を運転制御部１６へ送信する処理を行う。
【００４０】
通信部７５は、信号線（有線、または無線等）を介して運転制御部１６に接続されており、ＣＰＵ７１と運転制御部１６との間の情報送受信を行う。また、通信部７５は、スマートフォン、タブレット端末又はパソコンのような外部の通信装置から操作に関する信号を受信する受信部としての機能を有する。
【００４１】
操作部７２は、図４に一例を示すように、例えば、電源入操作を受け付けるための電源スイッチとしての入ボタン７２ａ、電源切操作を受け付けるための切ボタン７２ｂ、運転開始操作を受け付けるためのスタートボタン７２ｃ、洗濯槽のドアロックを解除するロック解除操作を受け付けるためのロック解除ボタン７２ｄなどの複数のタクトボタン（機械式ボタン）を有しており、各ボタンに対するプッシュ操作がなされた場合に、ＣＰＵ７１への通知を行う。なお、上述の操作ボタンは、これらに限定されるものではない。
【００４２】
タッチセンサ７３は、ユーザによる接触操作を検知するためのものであり、接触に係る物理量を検知して、検知した物理量に応じた信号を出力する。タッチセンサ７３は、例えば静電容量方式のものであり、検知した静電容量に応じた電気信号をＣＰＵ７１へ出力する。ＣＰＵ７１は、タッチセンサ７３が出力した電気信号の電圧値と予め設定されている閾値とを比較し、電圧値が閾値を超えて変化した場合にタッチセンサ７３に対する接触操作がなされたと判定することができる。
【００４３】
ＬＥＤ７４は、操作パネル１５上に文字、絵柄又は図形等を点灯により表示するためのものである。ＣＰＵ７１は、複数のＬＥＤ７４の点灯／消灯を個別に制御することにより、洗濯乾燥機の運転状態又はユーザによる操作状態等に適した表示を行うことができる。
【００４４】
記憶部７７は、例えば、ＥＥＰＲＯＭ（Electrically Erasable Programmable Read Only Memory）又はフラッシュメモリ等の不揮発性でデータ書き換え可能なメモリ素子で構成されており、報知情報（第１の報知情報及び第２の報知情報）を記憶してある。
【００４５】
ＣＰＵ７１は、運転中に、ＣＰＵ６１が所定の報知情報を報知すべき状態にあると判定した場合に、第２の報知情報（例えば、メンテナンス情報、エラー情報など）を報知する。なお、報知の形態は、音声でもよく、通知音でもよく、文字等を表示してもよい。
【００４６】
また、ＣＰＵ７１は、運転中に、ＣＰＵ６１が所定の報知情報を報知すべき状態にあると判定した場合に、次回、ユーザが電源入操作を行ったときに、第１の報知情報（例えば、メンテナンス情報、エラー情報など）を報知する。なお、報知の形態は、音声でもよく、文字等を表示してもよい。
【００４７】
第２の報知情報は、所定の報知情報を報知すべき状態が発生したタイミング（発生時点又は当該発生時点から所定の時間経過時点など）で報知される情報であり、第１の報知情報は、所定の報知情報を報知すべき状態が発生した後、一旦電源がオフされ、その後ユーザが電源入の操作を行ったタイミングで再度報知される情報である。なお、第１の報知情報と第２の報知情報とは、全く同じ内容でもよく、あるいは同意のものであれば、異なる表現を用いることもできる。
【００４８】
また、ＣＰＵ７１は、運転中に、ＣＰＵ６１が所定の報知情報を報知すべき状態にあると判定した場合に、第２の報知情報（例えば、メンテナンス情報、エラー情報など）を報知した後、当該第２の報知情報がユーザに認識されたか否か、すなわちユーザが第２の報知情報が報知されたことを確認したか否かを判定することもできる。
【００４９】
また、ＣＰＵ７１は、運転中に、ＣＰＵ６１が所定の報知情報を報知すべき状態にあると判定した場合に、第２の報知情報（例えば、メンテナンス情報、エラー情報など）を報知した後、当該状態の発生時点から電源がオフされるまでの間に、ユーザが任意のボタン又はセンサを操作しなかったときに、第２の報知情報の報知が認識されていないと判定することができる。
【００５０】
そして、ＣＰＵ７１は、第２の報知情報の報知が認識されていないと判定した場合に、次回、ユーザが電源入操作を行ったときに、第１の報知情報（例えば、メンテナンス情報、エラー情報など）を報知することができる。
【００５１】
図４は本実施の形態の洗濯機１００の操作パネル１５の一例を示す模式図である。操作パネル１５上には、複数のタクトボタン（入ボタン７２ａ〜ロック解除７２ｄ）を有する操作部７２が、向かって右端側の部分に設けられている。また、操作パネル１５上の他の部分には、タッチセンサ７３によるタッチボタン７３ａ〜７３ｎ、及びＬＥＤ７４にて表示／非表示の制御がなされる表示部７４ａ〜７４ｍなどが適宜に配置されている。また、操作パネル１５上の略中央部には、報知部としてスピーカ７６を設けている。なお、これらのボタンの配置、スピーカ７６の配置は、図４の例に限定されるものではない。
【００５２】
［第１実施例］
次に、本発明における実施の形態１の洗濯機１００の動作について説明する。実施の形態１による発明の理解をより高めるために、従前の制御と対比させて本願発明を説明する。図５は洗濯機の洗濯運転の処理手順のフローチャートである。図６及び図７は実施の形態１の洗濯機１００の洗濯運転の処理手順の第１実施例を示すフローチャートである。図５は従前の制御例を、図６及び図７は本発明における実施の形態１における第１実施例の制御手順を示すもので、洗濯機１００の洗濯運転の処理手順を示すフローチャートである。以下では、ＣＰＵ６１及びＣＰＵ７１を纏めて処理の主体をＣＰＵとする。まず、従前の制御処理手順を、図５を参照に説明する。ＣＰＵは、ユーザが入ボタン７２ａを操作することにより電源入操作を受け付ける（Ｓ１１）。この状態で洗濯機１００は運転コース、洗濯乾燥の各種設定を受け付ける状態となる。
【００５３】
ＣＰＵは、ユーザが所望の設定ボタンを操作することにより洗濯運転の設定を受け付け（Ｓ１２）、ユーザがスタートボタン７２ｃを操作することによりスタート操作を受け付け（Ｓ１３）、運転を開始する。ＣＰＵは、まず、洗い・すすぎ工程を行い（Ｓ１４）、次に、排水工程を行う（Ｓ１５）。
【００５４】
以上の処理後、ＣＰＵは、脱水工程を開始し（Ｓ１６）、脱水エラーがあるか否かを判定する（Ｓ１７）。脱水エラーがない場合（Ｓ１７でＮＯ）、ＣＰＵは、脱水運転を完了したか否かを判断し（Ｓ１８）、脱水運転を完了していない場合（Ｓ１８でＮＯ）、ステップＳ１７以降の処理を繰り返す。脱水運転を完了した場合（Ｓ１８でＹＥＳ）、ＣＰＵは、電源をオフにし（Ｓ１９）、処理を終了する。
【００５５】
脱水エラーがあった場合（Ｓ１７でＹＥＳ）、ＣＰＵは、脱水エラーの報知を行う（Ｓ２０）。次のステップとしては、ステップＳ２００のように運転を一時停止状態にし、電源をオンした状態で、報知状態（例えば、脱水エラーを示す表示）を継続していた。この報知をユーザが洗濯機１に近づくことで確認する必要があった。その確認が行なわれるまで、電源が入りっぱなしの状態が長時間継続される。その時間は無駄な電力消費となっていた。
【００５６】
これに対し、本発明の実施の形態１の第１実施例を、図６及び図７を参照に説明する。図６及び図７に示すステップ数と図５のステップ数が同一のものは同一処理を実行し、その詳細は省略する。図６及び図７に示す処理としては、ステップＳ１１とＳ１２との間での処理、またステップＳ１７で、脱水エラーを検知した後の処理が図５で説明した処理とは大きく異なり、本発明の第１実施例の大きな特徴でもある。
【００５７】
まず電源投入を行なったとき（Ｓ１１）に、ステップＳ１１０にて報知確認フラグの状態が確認される。説明の都合上、ここでは報知確認フラグがオン状態として説明する。ＣＰＵは、図５で説明したようにステップＳ１２〜Ｓ１６の処理を実行し、脱水工程を実行後に脱水状態の確認（Ｓ１７）を行なう。脱水エラーがなく、脱水運転が完了すれば（Ｓ１８でＹＥＳ）、電源オフされ（Ｓ１９）動作が終了する。
【００５８】
一方、脱水エラーを検知した場合（Ｓ１７でＹＥＳ）、図６及び図７に示すように、脱水エラーであることをユーザに対して報知する。この報知としては、表示、または音声にてエラー状況、そのエラー解消のための処置内容を出力する（Ｓ２１０）。ＣＰＵは、この報知と共に、エラー情報、報知確認フラグオフを記録部６２に記憶する（Ｓ２１）。なお、報知確認フラグオフとは、報知要を示す情報であり、報知情報が報知されたことがユーザに確認（認識）されていないことを示すものであり、後述の報知確認フラグオンとは、報知情報が報知されたことがユーザに確認（認識）されたことを示すものである。また、報知確認フラグオフ及び報知確認フラグオンは記憶部７７に記憶してもよい。
【００５９】
次に、ＣＰＵは、報知確認操作があったか否かを判定する（Ｓ２２）。報知確認操作は、ユーザが洗濯機の近くにおり、報知情報を確認することができたことを判定することができればよく、例えば、操作パネル１５上の任意のボタン又は任意のセンサの操作をしたか、あるいは扉（ドア１０）の開閉動作を行ったかなどで判定することができる。一例として、脱水エラーの場合には、洗濯機の動作が停止し、先に説明したように脱水エラーの解消処置が報知されることで、洗濯機のドア１０を開き、回転ドラム３内の洗濯物をほぐし、ドア１０を閉じる操作をユーザが行なう。このときに、確認されたと判断される。
【００６０】
報知確認操作があった場合（Ｓ２２でＹＥＳ）、ＣＰＵは、報知確認フラグオンを記憶し（Ｓ２３）、脱水エラーで停止していた洗濯機の動作が再開される。このときの再開は、脱水エラーにより停止していたので、脱水工程が実行（Ｓ１６）される。これにより、報知確認フラグオフは報知確認フラグオンに更新される。
【００６１】
一方、報知確認操作がない場合（Ｓ２２でＮＯ）、ＣＰＵは、所定時間経過したか否かを判定し（Ｓ２４）、所定時間経過していない場合（Ｓ２４でＮＯ）、ステップＳ２２以降の処理を繰り返す。所定時間経過した場合（Ｓ２４でＹＥＳ）、ＣＰＵは、電源をオフにする（Ｓ２５）。電源をオフにした状態で、ユーザが洗濯機の近くにくるまで待機することができる。
【００６２】
エラー情報、報知確認フラグ（オン、オフ）は、不揮発性のメモリに記憶されるので、電源をオフ（一時停止状態でなく電源断の状態）しても、エラー情報、報知確認フラグが記憶されたまま残存する。これにより、従来であれば、ユーザにエラー状態を通知する必要がある場合、電源をオンしたまま、制御回路、表示部等を含めて電源を供給する一時停止状態にしておく必要があったが、本実施の形態では完全に電源を切ることができ、省電力化を図ることができる。
【００６３】
図６及び図７のフローに戻り、洗濯機の電源オフの状態でユーザが入ボタン７２ａを操作することによりＣＰＵは電源入操作を受け付ける（Ｓ１１）。電源オン操作の受付により、本発明によれば、ＣＰＵは、報知確認フラグオンであるか否かを判定する（Ｓ１１０）。
【００６４】
先に説明したとおり、脱水エラーが発生していても脱水エラーをユーザが確認しなければ、脱水エラーを知らせるために報知確認フラグがオンされていない状態（フラグオフ）で電源オフされている。そのため、ステップＳ１１０の判定はＮＯとなり、ユーザに脱水エラーで洗濯機が停止している状態であることを報知する（Ｓ１１１）。この報知は、ステップＳ２１０と同様の報知でもよく、この同様の内容で報知を行い、エラー解消のための処理をユーザに知らせ、その後にスタートボタン７２の操作を行なうように報知する。このとき、同時にステップＳ１１２にて報知確認フラグオンの処理が行なわれ、これが記憶される。ステップＳ１１にてユーザが洗濯機本体の前で電源投入操作を行った直後であるので、ユーザがその場にいて、この報知を確認した事は明白である。この報知が行なわれた後の状態では、ステップＳ１１３のとおり、一時停止状態（電源ＯＮ）で待機している。
【００６５】
これにより、ユーザは、報知内容に従った処理を行ない、スタートボタン７２ｃの操作を行なう（Ｓ１１４）ことで、脱水時に停止した状態に戻り、ステップＳ１６の処理を実行する。以下の処理は、先に説明したとおりである。
【００６６】
以上のように、エラー状態で洗濯機の動作が停止し、電源をオフ状態にしても、ユーザが電源投入操作を行なうことで、停止前のエラー状況をユーザは確実に知ることができる。また、そのエラー状況に応じてユーザが対処できる。
【００６７】
上述のように、ユーザへの通知音又は音声による報知情報（第２の報知情報）が、電源オフまでの間にユーザに確認又は認識されなかったと判定された場合、次回の電源オンの時点で再度報知情報（第１の報知情報）を音声又は通知音などで報知するので、ユーザが洗濯機の傍にいるときに報知情報を報知することができ、報知情報をユーザに確実に報知することができる。
【００６８】
また、第２の報知情報を報知した後に、再度報知するためのエラー情報及び報知情報などを不揮発性メモリに記憶し、電源をオフにするので、待機電力をなくし、省電力化を図ることができる。
【００６９】
上述の実施の形態において、スマートフォン、タブレット端末又はパソコンのような外部の通信装置から操作に関する信号を、無線通信又は有線通信により受信する受信部を設け、ＣＰＵ７１は、外部の装置から当該信号を受信していない場合、第２の報知情報の報知が認識されていないと判定するようにしてもよい。これにより、ユーザの利便性を向上させることができる。
【００７０】
［第２実施例］
次に本発明の実施の形態１における第２実施例を図８乃至図１０を参照して説明する。図８は洗濯機の洗濯乾燥運転の処理手順のフローチャートである。図９及び図１０は実施の形態１の洗濯機１００の洗濯乾燥運転の処理手順の第２実施例を示すフローチャートである。また、第１実施例同様、従前の制御手順を、図８を参照に説明し、本発明の理解をより深めるためにも図９及び図１０を参照に本発明の制御手順を説明する。まず、図８を参照して洗濯機による洗濯および乾燥を行なう運転時の制御手順を説明する。ＣＰＵは、ユーザが入ボタン７２ａを操作することにより電源入操作を受け付ける（Ｓ４１）。この状態で洗濯機１００は運転コース、洗濯乾燥の各種設定を受け付ける状態となる。
【００７１】
ＣＰＵは、ユーザが所望の設定ボタンを操作することにより洗濯乾燥運転の設定を受け付け（Ｓ４２）、ユーザがスタートボタン７２ｃを操作することによりスタート操作を受け付け（Ｓ４３）、運転を開始する。ＣＰＵは、まず、洗い・すすぎ工程を行い（Ｓ４４）、次に、排水工程を行う（Ｓ４５）。
【００７２】
ＣＰＵは、脱水工程を行い（Ｓ４６）、乾燥工程を開始する（Ｓ４７）。ＣＰＵは、乾燥フィルタエラー無→有の変化を検出したかを判定する（Ｓ４８）。乾燥フィルタエラー無→有の変化がある場合（Ｓ４８でＹＥＳ）、ＣＰＵは、乾燥フィルタエラーの報知を行う（Ｓ４９）。ステップＳ４９では、第２の報知情報を報知する。
【００７３】
この乾燥フィルタエラー無→有の変化判別（検知）は、従来より周知の技術を利用できる。例えば乾燥フィルタの目詰まりである場合、乾燥風量の低下を検知する。この乾燥フィルタの目詰まり検知に対して、フィルタの清掃等を行うようにユーザに報知する。
【００７４】
また、ステップＳ４９の乾燥フィルタエラーの報知は、例えば表示等にてユーザに知らしているが、その報知内容を確認したか否かは洗濯機側では行なっていなかった。洗濯機側では、単なる表示等にてフィルタのつまり状況を一方的に表示していた。このフィルタエラーについては、第１実施例のように脱水エラーのように運転を停止することなく、乾燥運転を継続して実施できる。そのため、乾燥運転を完了するまで運転が継続される。
【００７５】
以上のように乾燥フィルタエラー報知処理（Ｓ４９）後、洗濯機は動作を停止することなく、乾燥運転が完了していなければ、ステップＳ５３でＮＯ、ステップＳ４８へ戻る。これが乾燥運転が完了するまで繰り返し実行される。乾燥運転が完了すれば（Ｓ５３でＹＥＳ）、一連の洗濯、乾燥が完了したものとして洗濯機の運転が停止し、電源がオフされる（Ｓ５４）。
【００７６】
以上説明したように電源オフされると、乾燥フィルタエラーをユーザが確認したか否かを判別することはできなかった。そのため、洗濯乾燥を終了し、電源オンされ、次に洗濯乾燥を行なうために、電源投入を行なっても、前回の洗濯乾燥運転時の乾燥エラーが確認されていないことをユーザに報知できなかった。つまり、ユーザが洗濯機の傍にいる時点で、その報知が行なえなかった。ユーザが乾燥運転を指示すれば、洗濯機の傍から離れる。そのため、乾燥運転が開始し、その運転時に乾燥フィルタの目詰まり等にエラー表示を確認できないまま、常時洗濯乾燥運転が行なわれることになる。
【００７７】
このように乾燥フィルタの目詰まりにより、乾燥不良、また乾燥運転時間が長くなる等、脱水エラー同様、無駄に電力消費が行なわれる。また十分な乾燥が行なえなくなる。これに対し、本発明の実施の形態１による第２実施例においては、以下の処理を実行する。その処理を図９及び図１０を参照して説明する。
【００７８】
図９及び図１０に示すステップ数と図８のステップ数が同一のものは同一処理を実行し、その詳細は省略する。図９及び図１０に示す処理としては、ステップＳ４１とＳ４２との間での処理、またステップＳ４８とＳ５３の間の処理が図８で説明した処理とは大きく異なり、本発明の第２実施例の大きな特徴でもある。
【００７９】
初期の状態においては、報知確認フラグオンが記憶されている。そのため電源入操作を受け付ける（Ｓ４１）と、ステップＳ５６の処理では、ＹＥＳとなり、図８で説明した処理と、洗い、すすぎ、脱水の処理（Ｓ４４、Ｓ４５、Ｓ４６）が完了し、乾燥工程が開始（Ｓ４７）される。
【００８０】
乾燥工程が開始されると、ＣＰＵは乾燥フィルタの状態を確認（Ｓ４８）する。つまりステップＳ４８にて、乾燥フィルタエラー無→有の変化を検出したかを判定する。乾燥フィルタエラー無→有の変化が確認されなければ（Ｓ４８でＮＯ）、報知確認操作がなされたか否か（Ｓ５１）が判定され、その操作がなければ、乾燥運転の終了が確認（Ｓ５３）される。乾燥運転が完了していなければ、ステップＳ４８、Ｓ５１、Ｓ５３の処理が、乾燥運転が完了するまで繰り返し実行される。
【００８１】
そこで、ＣＰＵはステップＳ４８にて乾燥フィルタのエラー、例えば風量等が多少落ちた場合など、目詰まり状態を認識し、エラー無→有の変化として判定する（Ｓ４８でＹＥＳ）。この判定は、一例で従来より公知のエラー判定（検知）を行なうようにすればよい。エラー判定を行なうことで、ＣＰＵは乾燥フィルタエラーの報知（Ｓ４９）を行なう。この報知としては、表示だけなく、音声にて報知することができる。そのエラー情報だけでなく、エラー解消のための措置等の報知も行なう。また、ＣＰＵはステップＳ５０に移行し、エラー情報（乾燥フィルタエラー）と共に、報知確認フラグオフを記憶部７７に記憶させる。
【００８２】
ＣＰＵは、次に報知確認操作があったか否かを判定する（Ｓ５１）。報知確認操作は、ユーザが洗濯機の近くにおり、報知情報を確認することができたことを判定することができればよく、例えば、操作パネル１５上の任意のボタン又は任意のセンサの操作をしたか、あるいは扉の開閉動作を行ったかなどで判定することができる。
【００８３】
報知確認操作があった場合（Ｓ５１でＹＥＳ）、ＣＰＵは、報知確認フラグオンを記憶し（Ｓ５２）、後述のステップＳ５３の処理を行う。これにより、報知確認フラグオフは報知確認フラグオンに更新される。
【００８４】
報知確認操作がない場合（Ｓ５１でＮＯ）、ＣＰＵは、乾燥運転が終了したか否かを判定し（Ｓ５３）、乾燥運転が終了していない場合（Ｓ５３でＮＯ）、ステップＳ４８以降の処理を繰り返す。
【００８５】
この繰り返しにおいて、ステップＳ４８で乾燥フィルタエラー無→有の変化と判定され、エラー情報、報知確認フラグオフの処理が行なわれる。そして、ステップＳ５１で一度、報知確認操作が確認されると、報知確認フラグオン処理が実行される。ここで、報知確認操作が行われ、報知確認フラグオン処理が行われても、乾燥フィルタの清掃が行われないと乾燥フィルタエラー状態は有のままで改善されないので、Ｓ４８でＹＥＳとは再度判断されない。また、Ｓ５１でＹＥＳとされる場合は、乾燥フィルタエラーをユーザが確認し、その状態を把握する。そのため、エラー報知としては表示だけにし、音声報知等を停止してもよい。
【００８６】
一方、以上の繰り返し処理を行なっているときに、乾燥運転が終了した場合（Ｓ５３でＹＥＳ）、ＣＰＵは、電源をオフにする（Ｓ５４）。電源をオフにした状態で、ユーザが洗濯機の近くにくるまで待機することができる。この電源オフ後、ユーザが洗濯、乾燥された洗濯物を取り除く。
【００８７】
以上説明したように、エラー情報、報知確認フラグ（オン、オフ）は、不揮発性のメモリに記憶されるので、電源をオフしても、エラー情報、報知確認フラグが記憶されたまま残存する。これにより、図８であれば、ユーザにエラー状態を通知する必要がある場合、乾燥までの処理が完了していても電源をオンしたままにしておく必要があったが、本実施の形態では電源を切ることができ、省電力化を図ることができる。
【００８８】
上述したように一連の洗濯乾燥運転が終了すれば、電源がオフされる。そして、洗濯機の傍にいるユーザに前回の洗濯乾燥運転時の状況を確実に確認できる本発明の第２実施例の大きな特徴点を以下に説明する。
【００８９】
まず、前回における洗濯乾燥運転が完了し、電源がオフされても、乾燥フィルタのエラーの確認をユーザが行なっていない場合、ＣＰＵは、今回の洗濯運転のために、電源入操作を確認後（Ｓ４１）、報知確認フラグオンであるか否かを判定する（Ｓ５６）。
【００９０】
ユーザが確認していない場合、ステップＳ５７にて乾燥フィルタエラーの報知を行なう。この報知は上述したとおり、乾燥フィルタに目詰まりが生じていることを音声等で知らせ、その対処を合わせて報知する。その報知に合わせてユーザが乾燥フィルタの清掃等を行なうこともできる。その清掃のために、乾燥フィルタを取り外し、掃除機等で付着物を排除した後、該乾燥フィルタを装着すればよい。
【００９１】
なお、報知確認フラグオンである場合（Ｓ５６でＹＥＳ）、ユーザが操作した洗濯乾燥運転の処理が実行される。つまり、前回におけるステップＳ５４で電源オフとする前にユーザが報知情報の確認操作を行っているか、もしくはエラーが発生していないので、再度の報知は必要ないとして、洗濯・乾燥運転設定後、スタートキー操作により（Ｓ４２〜Ｓ４３）運転が開始され、設定された運転が完了すれば、上述した洗濯乾燥のための一連の処理を終了する。
【００９２】
一方、先に説明した内容を繰り返し説明することになるが、報知確認フラグオンでない場合（Ｓ５６でＮＯ）、ステップＳ５４で電源オフとする前にユーザが報知情報の確認操作を行っていないので、再度の報知が必要であるとして、乾燥フィルタエラーを報知する（Ｓ５７）。ステップＳ５７では、第１の報知情報を報知する。
【００９３】
ＣＰＵは、ステップＳ４１において、すでにユーザによる電源入操作があったので、ユーザが洗濯機の傍にいる事が明白であるためにＳ５７の報知に対する報知情報の確認は行われたとして、報知確認フラグオンを記憶し（Ｓ５８）、ステップＳ４２の処理を行う。
【００９４】
なお、別の処理形態として、ステップＳ４２以降の処理に移る前に、運転を一時停止状態とし、先に説明したように乾燥フィルタエラーの報知（ステップＳ５７）後、ユーザが乾燥フィルタを取り出して清掃を行い、その乾燥フィルタを装着したことを検知すれば、ステップＳ５８を経て、Ｓ４２の処理を実行するようにしてもよい。この操作を確認した後、一時停止状態を自動解除して運転処理を実行しても、ユーザが一時停止を解除するためにスタートボタンを操作するようにしてもよい。
【００９５】
上述のように、ユーザへの通知音又は音声による報知情報（第２の報知情報）が、電源オフまでの間にユーザに確認又は認識されなかったと判定された場合、次回の電源オンの時点で再度報知情報（第１の報知情報）を音声又は通知音などで報知するので、ユーザが洗濯機の傍にいるときに報知情報を報知することができ、報知情報をユーザに確実に報知することができる。
【００９６】
また、第２の報知情報を報知した後に、再度報知するためのエラー情報及び報知情報などを不揮発性メモリに記憶し、電源をオフにするので、待機電力をなくし、省電力化を図ることができる。
【００９７】
（実施の形態２）
洗濯機を日々使用する場合、乾燥フィルタ及び排水フィルタなどのフィルタの目詰まりが生じ、確実にお手入れを行う必要がある。このようなフィルタの目詰まりが生じた場合に、従来は、エラーコードをセグメント表示するもの、あるいはフィルタ目詰まり専用の表示灯を点灯させるものがあるが、いずれも運転中に表示する。しかし、通常、運転中はユーザが洗濯機の傍にいないので、ユーザがフィルタエラーなどを確認することができない可能性が高い。また、一旦運転が終了すると電源がオフにされ、フィルタエラーなどの表示も消えてしまう。また、エラー表示を行ったとしても、エラーの内容がユーザにとって分かりにくく、ユーザがどのように対処すればよいか解らない場合も多い。このため、ユーザがメーカや販売店に問い合わせをするケースが相次いでいる。また、エラー表示に気づかないまま継続して洗濯機を使用することで、ファンモータの寿命が短くなる場合、運転時の消費電力が増大する場合がある。実施の形態２では、これらの問題を解決することができる。以下、実施の形態２について説明する。なお、図１から図４までの構成は実施の形態１と同様であるので説明は省略する。
【００９８】
図１１は実施の形態２の洗濯機１００によるフィルタ状態を記憶する処理手順の一例を示すフローチャートである。以下では、ＣＰＵ６１及びＣＰＵ７１を纏めて処理の主体をＣＰＵとする。ＣＰＵは、洗濯運転を開始し（Ｓ７１）、排水時間により排水フィルタの状態を判定する（Ｓ７２）。ＣＰＵは、排水フィルタの状態、すなわち、排水時間、フィルタエラーの有無などを記憶する（Ｓ７３）。
【００９９】
この場合、ＣＰＵ（ＣＰＵ６１）は、状態区分部としての機能を有し、排水時間を緊急度合に応じて、複数の段階に区分して記憶することができる。排水時間が長いほど、排水フィルタの目詰まり度合が多く、緊急度合が高いとすることができる。
【０１００】
ＣＰＵは、乾燥運転を開始し（Ｓ７４）、サーミスタの温度上昇度合により乾燥フィルタの状態を判定する（Ｓ７５）。ＣＰＵは、乾燥フィルタの状態、すなわち、サーミスタの温度上昇度合、フィルタエラーの有無など記憶し（Ｓ７６）、処理を終了する。
【０１０１】
この場合、ＣＰＵ（ＣＰＵ６１）は、サーミスタの温度上昇度合を緊急度合に応じて、複数の段階に区分して記憶することができる。温度上昇が高いほど、乾燥フィルタの目詰まり度合が多く、緊急度合が高いとすることができる。
【０１０２】
図１１に例示する処理は、１回の運転の都度、行われる。複数回運転を繰り返すことにより、排水フィルタ及び乾燥フィルタの状態の履歴情報を収集することができる。
【０１０３】
［第３実施例］
図１２は実施の形態２の洗濯機１００による電源入操作時の処理手順の第３実施例を示すフローチャートである。図１２は実施の形態２の一実施例であるが、以下、図１２を参照し第３実施例として説明する。ＣＰＵは、電源入操作を受け付け（Ｓ８１）、前回運転時のサーミスタの温度上昇度合が所定値以上であるか否かを判定する（Ｓ８２）。なお、所定値は、フィルタエラーであると判定する閾値よりは小さい値であり、乾燥フィルタの目詰まりがひどくフィルタエラーとなる程度よりは小さい値であり、ステップＳ８２は、フィルタエラーの有無を判定するものではない。
【０１０４】
サーミスタの温度上昇度合が所定値以上である場合（Ｓ８２でＹＥＳ）、ＣＰＵは、乾燥フィルタのお手入れを促す音声を出力する（Ｓ８３）。この場合、出力する音声は、第１の報知情報であり、例えば、「そろそろ乾燥フィルタ掃除の時期ですよ」の如く、フィルタの掃除をすぐに行う必要はないが、早めに行うことで省電力化を図ることができる程度の報知情報である。
【０１０５】
サーミスタの温度上昇度合が所定値以上でない場合（Ｓ８２でＮＯ）、ＣＰＵは、通常の音声を出力する（Ｓ８４）。この場合、出力する音声は、例えば、乾燥フィルタとは関係のない情報である。
【０１０６】
ＣＰＵは、前回運転時の排水時間が所定値以上であるか否かを判定する（Ｓ８５）。なお、所定値は、フィルタエラーであると判定する閾値よりは小さい値であり、排水フィルタの目詰まりがひどくフィルタエラーとなる程度よりは小さい値であり、ステップＳ８５は、フィルタエラーの有無を判定するものではない。
【０１０７】
排水時間が所定値以上である場合（Ｓ８５でＹＥＳ）、ＣＰＵは、排水フィルタのお手入れを促す音声を出力する（Ｓ８６）。この場合、出力する音声は、例えば、「そろそろ排水フィルタ掃除の時期ですよ」の如く、フィルタの掃除をすぐに行う必要はないが、早めに行うことで洗濯所要時間の長時間化を防止することができる程度の報知情報である。
【０１０８】
排水時間が所定値以上でない場合（Ｓ８５でＮＯ）、ＣＰＵは、通常の音声を出力する（Ｓ８７）。この場合、出力する音声は、例えば、排水フィルタとは関係のない情報である。ＣＰＵは、運転を開始し（Ｓ８８）、運転が完了すれば処理を終了する。
【０１０９】
上述のように、ユーザが電源入の操作を行った場合に、前回の運転時のフィルタの状態を音声で報知するので、ユーザには確実にフィルタの状態を知らせることができる。また、フィルタの状態の区分に応じて、緊急度合の異なる報知情報を報知する。すなわち、フィルタの目詰まりの程度に応じて報知する内容を異なるようにし、フィルタエラーにより例えば乾燥運転を行えなくなる状態、また排水処理が困難となり洗濯運転ができなくなる前にフィルタのお手入れを早めに実施するよう促すので、常に正常な状態を維持した運転が可能となる。
【０１１０】
［第４実施例］
図１３は実施の形態２の洗濯機１００による電源入操作時の処理手順の第４実施例を示すフローチャートである。図１３は実施の形態２の他の実施例であるが、この図１３を参照し第４実施例として説明する。ＣＰＵは、電源入操作を受け付け（Ｓ９１）、フィルタエラー（乾燥フィルタエラー、排水フィルタエラー）の累積回数が２回以上であるか否かを判定する（Ｓ９２）。なお、乾燥フィルタエラーの有無は、サーミスタの温度上昇度合が上述の所定値より大きい閾値以上であるか否かにより判定することができる。また、排水フィルタエラーの有無は、排水時間が上述の所定値より大きい閾値以上であるか否かにより判定することができる。
【０１１１】
フィルタエラーの累積回数が２回以上でない場合（Ｓ９２でＮＯ）、ＣＰＵは、通常の音声を出力し（Ｓ９３）、処理を終了する。この場合、出力する音声は、例えば、フィルタとは関係のない情報である。
【０１１２】
フィルタエラーの累積回数が２回以上である場合（Ｓ９２でＹＥＳ）、ＣＰＵは、フィルタエラーの累積回数が３回以上であるか否かを判定する（Ｓ９４）。フィルタエラーの累積回数が３回以上でない場合（Ｓ９４でＮＯ）、ＣＰＵは、お手入れを促すものであって緊急度合のやや高い音声を出力し（Ｓ９５）、処理を終了する。この場合、出力する音声は、第１の報知情報であり、例えば、「フィルタ掃除をしてね」の如く、フィルタの掃除をすぐに行うことを促す程度の報知情報である。
【０１１３】
フィルタエラーの累積回数が３回以上である場合（Ｓ９４でＹＥＳ）、ＣＰＵは、お手入れを促すものであって緊急度合の高い音声を出力し（Ｓ９６）、処理を終了する。この場合、出力する音声は、第１の報知情報であり、例えば、「いい加減にフィルタ掃除をしてよ」の如く、さらに口調を強めた報知情報、例えば「洗濯、乾燥運転できなくなります。」といったように洗濯機を使用できなくなるような音声メッセージを報知する。
【０１１４】
上述のように、フィルタエラーの発生回数などの履歴情報を記録部６２に記録し、発生回数の多少に応じて、例えば、口調又は表現が次第に強くなるように、緊急度合の異なる報知情報（第１の報知情報）を報知するので、ユーザに対して、フィルタの掃除の必要性又は緊急性を段階的に意識させることができ、フィルタの掃除を確実に行うことができる。
【０１１５】
［第５実施例］
図１４は実施の形態２の洗濯機１００による電源入操作時の処理手順の第５実施例を示すフローチャートである。図１４は実施の形態２のその他の実施例である。この図１４を参照し以下に第５実施例として説明する。ＣＰＵは、電源入操作を受け付け（Ｓ１０１）、前回の運転でフィルタエラー（乾燥フィルタエラー、排水フィルタエラー）があったか否かを判定する（Ｓ１０２）。前回の運転でフィルタエラーがあった場合（Ｓ１０２でＹＥＳ）、ＣＰＵは、お手入れを促す音声を出力する（Ｓ１０３）。この場合、出力する音声は、第１の報知情報であり、例えば、「フィルタ掃除してくれた？」の如くである。
【０１１６】
ＣＰＵは、お手入れ完了を示すボタン操作又はセンサ操作などの入力があったか否かを判定し（Ｓ１０４）、入力があった場合（Ｓ１０４でＹＥＳ）、フィルタのエラーが解消したとしてフィルタエラーなしを記憶し（Ｓ１０５）、運転を開始し（Ｓ１０６）、運転が完了した場合に処理を終了する。
【０１１７】
お手入れ完了を示す入力がなかった場合（Ｓ１０４でＮＯ）、ＣＰＵは、フィルタエラーの記録を解消することなく、ステップＳ１０６の処理を行う。前回の運転でフィルタエラーがなかった場合（Ｓ１０２でＮＯ）、ＣＰＵは、ステップＳ１０６の処理を行う。
【０１１８】
上述のように、フィルタエラーがあった場合に、フィルタのお手入れを促す報知情報を報知するだけでなく、フィルタエラーなどの状態を解消するための作業を実施したか否かの情報を入力するための入力部としての操作パネル１５を備える。なお、入力部としては、操作パネル１５の操作部７２、タッチセンタ７３に限定されるものではなく、例えば、音声入力手段などを用いることもできる。フィルタの掃除を実施したか否かを確実に確認することができるため、エラー状態を解消（クリア）することができ、次回運転時のフィルタ目詰まり度合（排水時間、サーミスタの温度上昇）の検出レベルを補正することができ、検知精度を高めることができる。
【０１１９】
［第６実施例］
図１５は実施の形態２の洗濯機１００による電源入操作時の処理手順の第６実施例を示すフローチャートである。図１５は実施の形態２のさらなる実施例である。この図１５を参照し第６実施例として以下に説明する。ＣＰＵは、電源入操作を受け付け（Ｓ１１１）、前回の運転でフィルタエラー（乾燥フィルタエラー、排水フィルタエラー）があったか否かを判定する（Ｓ１１２）。前回の運転でフィルタエラーがあった場合（Ｓ１１２でＹＥＳ）、ＣＰＵは、お手入れを促す音声を出力する（Ｓ１１３）。この場合、出力する音声は、第１の報知情報であり、例えば、「フィルタ掃除してくれた？」の如くである。
【０１２０】
ＣＰＵは、お手入れ完了を示すボタン操作又はセンサ操作などの入力があったか否かを判定し（Ｓ１１４）、入力がなかった場合（Ｓ１１４でＮＯ）、運転開始不可状態に設定し（Ｓ１１５）、ステップＳ１１４以降の処理を続ける。この場合、ステップＳ１１３へ戻って上述した処理を再度繰り返すようにしてもよい。繰り返すことでユーザは、運転できないことを認識し、フィルタの清掃を行えば、運転できることを知る。
【０１２１】
一方、入力があった場合（Ｓ１１４でＹＥＳ）、ＣＰＵは、フィルタのエラーが解消したとしてフィルタエラーなしを記憶し（Ｓ１１６）、運転を開始し（Ｓ１１７）、運転が完了した場合に処理を終了する。前回の運転でフィルタエラーがなかった場合（Ｓ１１２でＮＯ）、ＣＰＵは、ステップＳ１１７の処理を行う。
【０１２２】
上述のように、フィルタエラーがあった場合に、フィルタのお手入れを促す報知情報を報知するだけでなく、フィルタエラーなどの状態を解消するための作業を実施したか否かの情報を入力するための入力部としての操作パネル１５を備える。これにより、フィルタの掃除を実施したか否かを確実に確認することができるため、エラー状態を解消（クリア）することができ、次回運転時のフィルタ目詰まり度合（排水時間、サーミスタの温度上昇）の検出レベルを補正することができ、検知精度を高めることができる。また、フィルタの掃除を実施したことが確認されない場合には、運転を開始することができないように設定することで、ファンモータの寿命が短くなること、あるいは運転時の電力消費が上昇することを確実に防止することができる。
【０１２３】
また、前述の第３実施〜第６実施例のように、音声を使ってユーザに報知し、また音声を出力することで、洗濯機（機械）と人間との相互コミュニケーションを図ることができ、製品寿命を長くすることができるとともに、ユーザにとっても洗濯機などの電気機器を使用することが楽しくなり電気機器に対する関心又は愛着を高める効果もある。また、音声によりユーザが行うことを明確に報知するので、単にエラーコードを表示するような場合に比べて、ユーザはすぐに実施すべく対処方法が解りユーザの利便性が向上する。
【０１２４】
上述の実施の形態２において、運転中にフィルタの目詰まりを検出した場合、運転が終了しても電源をオフにせず、音声を出力し続け、フィルタ掃除を実施したことを示す入力操作があるまで通電を継続するようにしてもよい。これにより、確実にフィルタの掃除が実施され、エラー状態を解消（クリア）することができる。
【０１２５】
上述の実施の形態１、２では、排水フィルタ及び乾燥フィルタの例を挙げたが、本実施の形態１、２はフィルタに限定されるものではなく、他のエラーとなり得る部品等に対しても適用することができる。
【符号の説明】
【０１２６】
１５  操作パネル
７１  ＣＰＵ
７２  操作部
７３  タッチセンサ
７４  ＬＥＤ
７６  報知部
７７  記憶部
１６  運転制御部
６１  ＣＰＵ（状態判定部、電源制御部）
６２  記録部
【図１】
2015066328.tif 000003
【図２】
2015066328.tif 000004
【図３】
2015066328.tif 000005
【図４】
2015066328.tif 000006
【図５】
2015066328.tif 000007
【図６】
2015066328.tif 000008
【図７】
2015066328.tif 000009
【図８】
2015066328.tif 000010
【図９】
2015066328.tif 000011
【図１０】
2015066328.tif 000012
【図１１】
2015066328.tif 000013
【図１２】
2015066328.tif 000014
【図１３】
2015066328.tif 000015
【図１４】
2015066328.tif 000016
【図１５】
2015066328.tif 000017